(57)【特許請求の範囲】
【請求項１】
円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該周方向破断ラインは周方向に間隔をおいて周方向に延びる複数個のスリットと該スリット間に位置する複数個の橋絡部とから構成されており、該主部の内周面には雌螺条が配設され、該タンパーエビデント裾部の内周面には係止手段が配設されている合成樹脂製容器蓋において、
該タンパーエビデント裾部には、該橋絡部に近接して該橋絡部の下方を周方向に延びる複数個の補助スリットが配設されているが、該橋絡部の破断が全て同時ではなくて段階的に進行するように該補助スリットの配設は部分的に省略され或いは該補助スリットの周方向長さが変化せしめられている、ことを特徴とする合成樹脂製容器蓋。
【請求項２】
円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該周方向破断ラインは周方向に間隔をおいて周方向に延びる複数個のスリットと該スリット間に位置する複数個の橋絡部とから構成されており、該主部の内周面には雌螺条が配設され、該タンパーエビデント裾部の内周面には係止手段が配設されている合成樹脂製容器蓋において、
該主部には、該橋絡部に近接して該橋絡部の上方を周方向に延びる複数個の補助スリットが配設されているが、該橋絡部の破断が全て同時ではなくて段階的に進行するように該補助スリットの配設は部分的に省略され或いは該補助スリットの周方向長さが変化せしめられている、ことを特徴とする合成樹脂製容器蓋。
【請求項３】
該スリットの周方向長さは全て同一であり且つ該橋絡部の周方向長さは全て同一であり、該補助スリットは１個おきの該橋絡部に関連せしめて配設されている、請求項１又は２記載の合成樹脂製容器蓋。
【請求項４】
該スリットの周方向長さは全て同一であり且つ該橋絡部の周方向長さは全て同一であり、該補助スリットは隣接する２個の該橋絡部に関連して配設されているが、該補助スリットが配設された隣接する２個の該橋絡部に隣接する１個の該橋絡部に関しては配設されていない、請求項１又は２記載の合成樹脂製容器蓋。
【請求項５】
該スリットの周方向長さは全て同一であり且つ該橋絡部の周方向長さは全て同一であり、該補助スリットは交互に配設された周方向長さが長い補助スリットと周方向長さが短い補助スリットから構成されている、請求項１又は２記載の合成樹脂製容器蓋。
【発明の詳細な説明】
【技術分野】
【０００１】
本発明は、円形天面壁及びこの天面壁の周縁から垂下する円筒形スカート壁を具備し、スカート壁には周方向に延在する周方向破断ラインが配設されている形態の合成樹脂製容器蓋に関する。
【背景技術】
【０００２】
飲料用容器のための容器蓋として、下記特許文献１に開示されている如く、円形天面壁及びこの天面壁の周縁から垂下する円筒形スカート壁を具備する合成樹脂製容器蓋が広く実用に供されている。スカート壁には周方向に延在する周方向破断ラインが配設されており、スカート壁は周方向破断ラインよりも上方の主部と周方向破断ラインよりも下方のタンパーエビデント裾部とに区画されている。周方向破断ラインは周方向に間隔をおいて周方向に延びる複数個のスリットとかかるスリット間に位置する複数個の橋絡部とから構成されている。スカート壁の主部の内周面には雌螺条が形成されており、タンパーエビデント裾部の内周面には係止手段が形成されている。
【０００３】
上記のとおりの容器蓋は、上面が開放された全体として円筒形状の口頸部を有する容器に適用される。ポリエチレンテレフタレートの如き適宜の合成樹脂、ガラス或いは金属薄板から形成することができる容器の口頸部の外周面には、雄螺条とこの雄螺条の下方に位置する係止あご部が形成されている。容器内に内容物を充填した後に口頸部を密封する際には、口頸部に容器蓋を被嵌して閉方向に回転せしめる。かくすると、容器蓋の雌螺条が口頸部の雄螺条に螺合せしめられ、回転に応じて口頸部に対して容器蓋が下降せしめられる。タンパーエビデント裾部に形成されている係止手段は、口頸部の係止あご部を弾性的に乗り越えてその下方に位置せしめられる。容器の内容物を消費する際には、容器蓋を開方向に回転せしめる。かくすると、口頸部の雄螺条と容器蓋の雌螺条との協働によって容器蓋は回転と共に上昇せしめられる。しかしながら、タンパーエビデント裾部はその内周面に形成されている係止手段が口頸部の係止あご部に係止することによって上昇が阻止され、これに起因して周方向破断ラインに応力が生成され、周方向破断ラインが破断、更に詳細にはその複数個の橋絡部が破断され、タンパーエビデント裾部がスカート壁の主部から分離される。しかる後においては、タンパーエビデント裾部を除いて容器蓋は回転と共に上昇して口頸部から離脱され、口頸部が開封される。
【先行技術文献】
【特許文献】
【０００４】
【特許文献１】特開２０１１−１４３９４２号公報
【発明の概要】
【発明が解決しようとする課題】
【０００５】
而して、上述した形態の従来の容器蓋には、容器の口頸部を開封する際の所謂必要二次トルク、即ちスカート壁に配設されている周方向破断ライン、更に詳しくはその橋絡部を破断する際の必要トルク、が比較的大きく、開封操作が必ずしも容易ではない、という問題が存在する。かかる問題を解決するためには、周方向破断ラインにおける橋絡部の破断強度を低減せしめることが意図されるが、橋絡部の破断強度を低減せしめると容器の口頸部に容器蓋を装着して口頸部を密封する際に橋絡部の一部が破断されてしまう虞が発生する。
【０００６】
本発明は上記事実に鑑みてなされたものであり、その主たる技術的課題は、容器の口頸部に容器蓋を装着する際に周方向破断ラインにおける橋絡部が破断されてしまうことを充分確実に回避して、口頸部を開封する際のトルクの急激な上昇を回避すると共に必要二次トルクを低減せしめ、かくして充分容易に周方向破断ラインにおける橋絡部を破断することができる、新規且つ改良された合成樹脂製容器蓋を提供することである。
【課題を解決するための手段】
【０００７】
本発明者は、鋭意研究の結果、周方向破断ラインにおける橋絡部に近接せしめてその下方又は上方に周方向に延びる複数個の補助スリットを形成すると共に、橋絡部の破断が全て同時ではなくて段階的に進行するように補助スリットの配設を部分的に省略し或いは補助スリットの周方向長さを変化せしめることによって上記主たる技術的課題を達成することができることを見出した。
【０００８】
即ち、本発明の第一の局面によれば、上記主たる技術的課題を達成する合成樹脂製容器蓋として、円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該周方向破断ラインは周方向に間隔をおいて周方向に延びる複数個のスリットと該スリット間に位置する複数個の橋絡部とから構成されており、該主部の内周面には雌螺条が配設され、該タンパーエビデント裾部の内周面には係止手段が配設されている合成樹脂製容器蓋において、
該タンパーエビデント裾部には、該橋絡部に近接して該橋絡部の下方を周方向に延びる複数個の補助スリットが配設されているが、該橋絡部の破断が全て同時ではなくて段階的に進行するように該補助スリットの配設は部分的に省略され或いは該補助スリットの周方向長さが変化せしめられている、ことを特徴とする合成樹脂製容器蓋が提供される。
【０００９】
本発明の第二の局面によれば、上記主たる技術的課題を達成する合成樹脂製容器蓋として、円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該周方向破断ラインは周方向に間隔をおいて周方向に延びる複数個のスリットと該スリット間に位置する複数個の橋絡部とから構成されており、該主部の内周面には雌螺条が配設され、該タンパーエビデント裾部の内周面には係止手段が配設されている合成樹脂製容器蓋において、
該主部には、該橋絡部に近接して該橋絡部の上方を周方向に延びる複数個の補助スリットが配設されているが、該橋絡部の破断が全て同時ではなくて段階的に進行するように該補助スリットの配設は部分的に省略され或いは該補助スリットの周方向長さが変化せしめられている、ことを特徴とする合成樹脂製容器蓋が提供される。
【００１０】
好適には、該スリットの周方向長さは全て同一であり且つ該橋絡部の周方向長さは全て同一であり、そして該補助スリットは１個おきの該橋絡部に関連せしめて配設されている、該補助スリットは隣接する２個の該橋絡部に関連して配設されているが、該補助スリットが配設された隣接する２個の該橋絡部に隣接する１個の該橋絡部に関しては配設されていない、或いは該補助スリットは交互に配設された周方向長さが長い補助スリットと周方向長さが短い補助スリットから構成されている。
【発明の効果】
【００１１】
本発明の合成樹脂製容器蓋においては、橋絡部に近接してその下方又は上方に補助スリットが配設されているので、橋絡部の下方又は上方においてスカート壁が弾性的に変形され、かかる弾性変形によって橋絡部の弾性変形及び塑性変形が緩衝される故に、容器の口頸部に容器蓋を装着する際に橋絡部が破断されることが充分確実に回避される。一方、橋絡部を破断して容器の口頸部を開封する際には、補助スリットの存在に起因するスカート壁の弾性変形並びに橋絡部の弾性変形及び塑性変形が経時的に発生し、そして更に橋絡部の破断が全て同時ではなくて段階的に進行するように補助スリットの配設は部分的に省略され或いは補助スリットの周方向長さが変化せしめられている故に、橋絡部の破断に必要なトルクが瞬時的に増大せしめられるのではなくて経時的に且つ段階的に分散され、かくして過大な必要二次トルクを必要とすることなく充分容易に橋絡部を破断せしめることができる。更にまた、橋絡部が破断される際には補助スリットが変形され、これによって口頸部の密封解除が一層明確に表示される（所謂タンパーエビデント表示が一層明確になる）。
【図面の簡単な説明】
【００１２】
【図１】容器蓋の形態を、一部を断面図で示す正面図。
【図２】図１の容器蓋における周方向破断ラインが配設されている部位を展開して示す部分展開図。
【図３】図１の容器蓋を、容器の口頸部に装着した後に容器蓋を開方向に回転して口頸部から離脱する際の初期状態を示す正面図。
【図４】図３に示す状態から容器蓋を更に開方向に回転して周方向破断ラインを破断した直後の状態を示す正面図。
【図５】容器蓋における周方向破断ラインが配設されている部位を展開して示す部分展開図。
【発明を実施するための形態】
【００１３】
以下、添付図面を参照して、更に詳細に説明する。
【００１４】
図１を参照して説明すると、ポリエチレン又はポリプロピレンの如き適宜の合成樹脂から一体に射出又は圧縮成形することができる、全体を番号２で示す容器蓋は、円形天面壁４及びこの天面壁４の周縁から垂下する円筒形スカート壁６を具備している。天面壁４の内面には、同心状に配設された円筒形状の内側シール片８及び円筒形状の外側シール片１０と共に半径方向に見て内側シール片８と外側シール片１０との間に位置する環状突条１２が形成されている。スカート壁６には周方向に延在する周方向破断ライン１４が配設されており、スカート壁６は周方向破断ライン１４よりも上方の主部１６と周方向破断ライン１４よりも下方のタンパーエビデント裾部１８とに区画されている。周方向破断ライン１４は周方向に間隔をおいて周方向に延びる複数個のスリット２０とかかるスリット２０間に位置する複数個の橋絡部２２とから構成されている。周方向破断ライン１４におけるスリット２０は、例えば適宜の切刃（図示していない）をスカート壁６の外周面から作用せしめてスカート壁６を切断することによって形成することができる。図示の実施形態においては、全てのスリット２０は同一である周方向長さＬ１を有し、全ての橋絡部２２も同一である周方向長さＬ２を有する。
【００１５】
スカート壁６の主部１６の外周面下端部には環状突条２３が形成されている。そして、スカート壁６の主部１６における環状突条２３よりも上方の領域には、そこに掛けられる使用者の指の滑りを防止するための凹凸形状（即ち周方向に交互に位置する凸部及び凹部）２４が形成されている。スカート壁６の主部１６の内周面には雌螺条２６が形成されている。一方、タンパーエビデント裾部１８の内周面には係止手段２８が配設されている。図示の実施形態においては、係止手段２８は周方向に間隔をおいて配設された複数個の係止片３０から構成されており、係止片３０の各々の縦断面形状は略直角三角形状であり、半径方向内方に向かって若干下方に傾斜して延出する上面、略円弧形状である内面及び下方に向かって半径方向外方に傾斜する下面を有する。
【００１６】
本発明に従って構成された容器蓋２においては、上記周方向破断ライン１４に関連せしめて補助スリット３２が配設されていることが重要である。図１と共に図２を参照して説明を続けると、図示の形態においては、タンパーエビデント裾部１８の上端部に、周方向破断ライン１４の橋絡部２２の各々に近接してその下方を周方向に延びる複数個（橋絡部２２と同数）の補助スリット３２が配設されており、全ての補助スリット３２は同一の周方向長さＬ３を有する（後に言及する如く、本発明においては、橋絡部の破断が全て同時ではなくて段階的に進行するように補助スリットの配設は部分的に省略され或いは補助スリットの周方向長さが変化せしめられていることが重要である）。補助スリット３２による橋絡部２２の弾性変形及び塑性変形の緩衝等の点から、補助スリット３２の周方向長さＬ３はスリット２０の周方向長さＬ１よりは短いが橋絡部２２の周方向長さＬ２よりも長く（Ｌ１＞Ｌ３＞Ｌ２）、補助スリット３２の各々の周方向中心と橋絡部２２の周方向中心とは軸線方向に整合しているのが好適である。そしてまた、橋絡部２２の確実な破断等の点から、スリット２０と補助スリット３２との軸線方向間隔Ｇは橋絡部２２の周方向長さＬ２以上（Ｌ２≦Ｇ）であるのが好ましい。
【００１７】
図１には、容器蓋２と共にこの容器蓋２が提供される容器の口頸部も二点鎖線で図示されている。ポリエチレンテレフタレートの如き適宜の合成樹脂、ガラス或いは金属薄板から形成することができる容器の、全体を番号３４で示す口頸部は、全体として円筒形状であり、上面は開口されている。口頸部３４の外周面には、雄螺条３６、この雄螺条３６の下方に位置する係止あご部３８、及び係止あご部３８の更に下方に位置するサポートリング４０が形成されている。当業者には周知の如く、サポ−トリング４０は容器を搬送する際に利用される。
【００１８】
容器内に清涼飲料の如き内容物を充填した後に、口頸部３４に容器蓋２を装着して口頸部３４を密封する際には、口頸部３４に容器蓋２を被嵌して容器蓋２を閉方向、即ち図１において上方から見て時計方向に回転せしめる。かくすると、容器蓋２の雌螺条２６が口頸部３４の雄螺条３６に螺合され、容器蓋２は回転と共に相対的に下降せしめられる。容器蓋２が所要位置、即ち図１に図示する位置、まで下降せしめられると、容器蓋２の天面壁４の内面に形成されている環状突条１２が口頸部３４の頂面に当接せしめられると共に、容器蓋２の天面壁４の内面に形成されている内側シール片８及び外側シール片１０が夫々口頸部３４の内周面及び外周面に密接乃至当接せしめられ、かくして口頸部３４が密封される。タンパーエビデント裾部１８の内周面に形成されている係止片３０は口頸部３４の係止あご部３８を弾性的に乗り越えてその下方に位置せしめられる。この際には、周方向破断ライン１４の橋絡部２２に応力が生成されるが、補助スリット３２の存在に起因して周方向破断ライン１４近傍においてスカート壁６、特にそのタンパーエビデント裾部１８の上端部が適宜に変形され、これによって橋絡部２２に作用する応力が低減される。かくして、口頸部３４に容器蓋２を装着する際に周方向破断ライン１４が破断されてしまうことが充分確実に防止される。
【００１９】
図１を参照して説明を続けると、容器の内容物を消費するために口頸部３４を開封する際には、容器蓋２を開方向、即ち図１において上方から見て反時計方向、に回転せしめる。かくすると、雌螺条２６と雄螺条３６との協働によって容器蓋２の天面壁４と共にスカート壁６の主部１６は回転と共に相対的に上昇せしめられる。一方、タンパーエビデント裾部１８は、その内周面に形成されている係止片３０が口頸部３４の係止あご部３８に係止せしめられる故に上昇が阻止される。従って、周方向破断ライン１４の橋絡部２２に応力が生成され、橋絡部２２が破断される。而して、図示の容器蓋２においては、周方向破断ライン１４に関連せしめて補助スリット３２が形成されている故に、図３に図示する如く橋絡部２２の破断に先立って橋絡部２２近傍、更に詳しくはスリット２０と補助スリット３２との間の部分、が弾性変形乃至塑性変形され、スリット２０及び補助スリット３２が軸線方向に拡張され、かような変形に続いて、図４に図示する如く、橋絡部２２の破断が進行する。橋絡部２２の破断が瞬時的に遂行されるのではなく、橋絡部２２近傍における弾性変形及び塑性変形に続いて経時的に遂行される故に（そして更に、本発明に従って構成された容器蓋においては、後に更に言及する如く、橋絡部の破断が全て同時ではなくて段階的に進行するように補助スリットの配設は部分的に省略され或いは補助スリットの周方向長さが変化せしめられている故に）、橋絡部２２を破断するのに要する所謂二次トルクが時間的に分散され、急激に且つ瞬時的に過大になってしまうことが可及的に防止される。周方向破断ライン１４の橋絡部２２が破断されてタンパーエビデント裾部１８が主部１６から分離された後においては、容器蓋２の天面壁４及びスカート壁６の主部１６は回転と共に自由に上昇せしめられて口頸部３４から離脱され、かくして口頸部３４が開封される。
【００２０】
図５（ａ）乃至（ｃ）は補助スリットの好適例を図示している。図５（ａ）に図示する好適例においては、全ての橋絡部２２に関連せしめて補助スリット３２を配設するのではなくて、１個おきの橋絡部２２に関してのみ補助スリット３２を配設している（従って、補助スリット３２の数は橋絡部の数の半分である）。図５（ｂ）に図示する好適例においては、連続する２個の橋絡部２２に関連して補助スリット３２を配設しているが連続する２個の橋絡部２２に隣接する橋絡部２２に関しては補助スリット３２を配設していない（従って、補助スリット３２の数は橋絡部２２の数の２／３である）。図５（ｃ）に図示する好適例においては、補助スリット３２の周方向長さは全て同一ではなく、周方向長さが比較的長い補助スリット３２ａと周方向長さが比較的短い補助スリット３２ｂとが交互に配設されている。図５（ａ）乃至（ｃ）に図示する好適例においては、複数個の橋絡部２２の破断が全て同時ではなく段階的に進行し、この点からも橋絡部２２の破断に要する必要トルクが低減される。
【００２１】
周方向破断ライン１４の下方、従ってタンパーエビデント裾部１８の上端部、に補助スリット３２を配設することに代えて、所望ならば、周方向破断ライン１４の上方、従ってスカート壁６の主部１６の下端部、に補助スリット３２を配設することもできる。図５（ｄ）に図示する形態においては、スカート壁６の主部１６の下端部に、周方向破断ライン１４の橋絡部２２の各々に近接してその上方を周方向に延びる複数個（橋絡部２２と同数）の補助スリット３２が配設されており、図２に図示する形態の場合と同様に、全ての補助スリット３２は同一の周方向長さＬ３を有する（上述したとおり、本発明においては、橋絡部の破断が全て同時ではなくて段階的に進行するように補助スリットの配設は部分的に省略され或いは補助スリットの周方向長さが変化せしめられていることが重要である）。補助スリット３２の周方向長さＬ３はスリット２０の周方向長さＬ１よりは短いが橋絡部２２の周方向長さＬ２よりも長く（Ｌ１＞Ｌ３＞Ｌ２）、補助スリット３２の各々の周方向中心と橋絡部２２の周方向中心とは軸線方向に整合しており、橋絡部２２の周方向長さＬ２はスリット２０と補助スリット３２との軸線方向間隔Ｇ以下（Ｌ２≦Ｇ）である。周方向破断ラインの下方ではなくて上方に補助スリット３２を配設する場合も、図５（ａ）乃至（ｃ）に例示する如く、複数個の橋絡部２２の破断が全て同時ではなく段階的に進行するように、全ての橋絡部２２に関して補助スリット３２を配設するのではなくて補助スリット３２の配設を適宜に省略し或いは補助スリット３２の周方向長さを適宜に変化せしめることが重要である。更に付言すれば、周方向破断ライン１４におけるスリット２０及び橋絡部２２の周方向長さも適宜に変化せしめ、これに応じて補助スリット３２の周方向長さを適宜に変化せしめ、或いは橋絡部２２に関する補助スリット３２の周方向位置を適宜に変位せしめることもできる。
【００２２】
上述した実施形態においては、容器の口頸部を開封する際には全ての橋絡部が破断されてタンパーエビデント裾部がスカート壁の主部から分離され、タンパーエビデント裾部は口頸部から離脱されることなくそこに残留せしめられるが、本発明はかような形態の容器蓋に限定されるものではなく、１個又は複数個の橋絡部は破断されることなく維持され、タンパーエビデント裾部に配設された軸線方向弱化ラインが破断されてタンパーエビデント裾部が環状から帯状に展開され、タンパーエビデント裾部も口頸部から離脱される形態にも本発明を適用することができる。
【符号の説明】
【００２３】
２：容器蓋
４：天面壁
６：スカート壁
１４：周方向破断ライン
１６：スカート壁の主部
１８：タンパーエビデント裾部
２０：スリット
２２：橋絡部
２６：雌螺条
２８：係止手段
３２：補助スリット
３４：口頸部
３６：雄螺条
３８：係止あご部
【図１】
0005995464.tif 000002
【図２】
0005995464.tif 000003
【図３】
0005995464.tif 000004
【図４】
0005995464.tif 000005
【図５】
0005995464.tif 000006